(57)【要約】【課題】リモコン装置と制御対象機器との対応関係の設定が容易なリモコン装置を提供することを目的とする。【解決手段】本体２０aと；前記本体２０aに配設される操作部２１と；前記本体２０aに配設され、機器の識別情報を含む可視光信号を受信する受信部２２と；前記本体２０aに配設され、受信した識別情報を記憶する記憶部２３と；前記本体２０aに配設され、前記操作部２１の操作によって、記憶した識別情報とともに制御信号を送信する送信部２４と；を具備したことを特徴とする【選択図】図１
2010081499.tif 000002
【特許請求の範囲】
【請求項１】
本体と；
前記本体に配設される操作部と；
前記本体に配設され、機器の識別情報を含む可視光信号を受信する受信部と；
前記本体に配設され、受信した識別情報を記憶する記憶部と；
前記本体に配設され、前記操作部の操作によって、記憶した識別情報とともに制御信号を送信する送信部と；
を具備したことを特徴とするリモコン装置。
【請求項２】
識別情報が記憶される毎に前記操作部と識別情報とが対応付けされて、操作部の操作によって対応付けされた識別情報とともに制御信号を送信することを特徴とする請求項１に記載のリモコン装置。
【請求項３】
前記記憶部は複数の識別情報を記憶し、最後に記憶した識別情報から一つ以上前に記憶した識別情報とともに制御信号を送信する第２の操作部を具備したことを特徴とする請求項１または２に記載のリモコン装置。
【請求項４】
前記記憶部は複数の識別情報を記憶し、記憶した複数の識別情報から一つの識別情報を選択するとともに選択した識別情報と操作部とを対応付ける選択手段を具備したことを特徴とする請求項１ないし３のいずれか一に記載のリモコン装置。
【請求項５】
請求項１ないし４のいずれか一記載のリモコン装置と；
前記リモコン装置によって制御される制御対象機器と；
を具備したことを特徴とする機器制御システム。
【発明の詳細な説明】
【技術分野】
【０００１】
本発明は、制御対象機器との対応関係を容易に設定することができるリモコン装置及びリモコン装置を用いた機器制御システムに関する。
【背景技術】
【０００２】
従来、リモコン制御可能な照明器具は、照明器具とリモコン装置それぞれにチャンネル設定を行うことにより、照明器具とリモコン装置との対応関係を図っていた。例えば、照明器具本体とリモコン装置それぞれにチャンネル設定用のディップスイッチ等がついており、このスイッチで同じチャンネルに設定した機器同士が制御可能となる。通常、各機器に設定可能なチャンネルは１チャンネルのみである。
【０００３】
一方、照明器具へリモコンから任意のチャンネル番号を発信して設定可能な構成が提案されている（例えば、特許文献１参照）。この場合、照明器具側のチャンネル設定スイッチが不要となる。
【特許文献１】特公平２−１５１５７号公報
【発明の開示】
【発明が解決しようとする課題】
【０００４】
しかしながら、リモコンからチャンネル設定をする際、照明器具側をチャンネル設定受付状態にしなくてはならず、照明器具側にチャンネルコード記憶用のスイッチが必要となる。このスイッチは器具に設けられたプルスイッチ等によりチャンネルコード記憶用スイッチを兼ねることも言及されているが、チャンネル設定の際に照明器具側の操作が必要となる。このように、制御対象機器とリモコン装置との対応関係を設定する毎に、制御対象機器およびリモコン装置の両方に対する設定操作が必要となる。
【０００５】
本願発明は、上記課題に鑑みなされたもので、リモコン装置と制御対象機器との対応関係の設定が容易なリモコン装置及び機器制御システムを提供することを目的とする。
【課題を解決するための手段】
【０００６】
本発明の請求項１に係るリモコン装置は、本体と；前記本体に配設される操作部と；前記本体に配設され、機器の識別情報を含む可視光信号を受信する受信部と；前記本体に配設され、受信した識別情報を記憶する記憶部と；前記本体に配設され、前記操作部の操作によって、記憶した識別情報とともに制御信号を送信する送信部と；を具備したことを特徴とする。
【０００７】
機器の識別情報とは、例えば制御対象機器のＩＤ番号などの機器固有のアドレスであり、例えば、機器製造時に設定しておくなど予め機器に設定しておくことが望ましいが、使用者がディップスイッチ等を用いて設定してもよい。
識別情報は、可視光によって送信されたものを受信して記憶する。
送信部から送信される信号は、例えば赤外線、可視光などの無線信号である。
【０００８】
本発明の請求項２に係るリモコン装置は、請求項１のリモコン装置において、識別情報が記憶される毎に前記操作部と識別情報とが対応付けされて、操作部の操作によって対応付けされた識別情報とともに制御信号を送信することを特徴とする。
【０００９】
本発明の請求項３に係るリモコン装置は、請求項１または２のリモコン装置において、前記記憶部は複数の識別情報を記憶し、最後に記憶した識別情報から一つ以上前に記憶した識別情報とともに制御信号を送信する第２の操作部を具備したことを特徴とする。
【００１０】
本発明の請求項４に係るリモコン装置は、請求項１ないし３のリモコン装置において、前記記憶部は複数の識別情報を記憶し、記憶した複数の識別情報から一つの識別情報を選択するとともに選択した識別情報と操作部とを対応付ける選択手段を具備したことを特徴とする。
選択手段は、例えばジョグダイヤルや識別信号を選択するための選択ボタン等であってもよく、操作部と識別情報とを対応付けることができる手段である。
【００１１】
本発明の請求項５に係る制御システムは、請求項１ないし４のいずれか一記載のリモコン装置と；前記リモコン装置によって制御される制御対象機器と；を具備したことを特徴とする
【発明の効果】
【００１２】
請求項１の発明によれば、可視光通信によって受信した識別情報を記憶して、記憶した識別情報を用いて機器を制御することができるので、機器とリモコン装置との対応付けをするための設定が容易である。
請求項２の発明によれば、機器とリモコン装置との対応付けをするための設定が容易である。
請求項３の発明によれば、操作部と識別情報との対応関係によらず、他の識別情報の機器を制御することができる。
請求項４の発明によれば、機器とリモコン装置との対応付けをするための設定が容易であるとともに一つのリモコンで複数の機器を制御することができる。
請求項５の発明によれば、請求項１ないし４に記載のリモコン装置を用いた制御システムを提供することができる。
【発明を実施するための最良の形態】
【００１３】
以下、図面を参照して本発明の実施の形態を説明する。
【００１４】
図１は、本発明の第１の実施形態に係るリモコン装置を用いた照明制御システムの説明図、図２は本発明の第１の実施形態に係るリモコン装置の構成を示すブロック図、図３は第１の実施形態に係るリモコン装置によって制御される照明器具の構成を示すブロック図である。
【００１５】
図１は、便宜上制御対象機器として２台の照明器具１０について、１台のリモコン装置２０を用いて制御する照明制御システムについて説明する。照明器具１０は予め設定された自己の識別情報を可視光信号としてそれぞれ送信する。リモコン装置２０は、可視光信号を受信すると信号に含まれる識別情報を自装置に記憶するとともに操作部２１と識別情報を対応付ける。そして、識別情報を記憶し識別情報と操作部とが対応付けされた状態で操作部２１を操作すると、自装置に記憶された識別情報とともに照明器具を点消灯させる制御信号を無線で送信する。照明器具１０は、無線信号を受信可能に構成されており、制御信号を受信すると自己の識別情報が含まれている場合には制御信号に従って制御され、自己の識別情報が含まれない場合には現在の制御状態をそのまま維持する。
【００１６】
図２に示すように、リモコン装置２０は、本体２０a、制御信号を送信させる操作部２１、可視光信号を受信する受信部２２、受信した可視光信号に含まれる識別情報を記憶する記憶部２３、無線信号を送信する送信部２４、受信した可視光信号から識別情報を抽出し、操作部２１との対応関係を記憶部２３に記憶させ、操作部２１の操作に従って識別情報とともに制御信号を送信部２４から送信させる制御部２５を有している。
【００１７】
図３に示すように、照明器具１０は、光源１１、光源を点灯制御する点灯装置１２、自己の識別情報を記憶する記憶部１３、リモコン装置２０から送信された無線信号を受信する無線受信部１４、自己の識別情報を点灯装置１２を制御して光源１１から可視光信号を送信させるとともに、受信した制御信号に従って点灯装置を制御する制御部１５を有している。
次に、１台のリモコン装置２０で２台の照明器具１０a、１０bをそれぞれ制御する場合について図１、２、３を用いて説明する。
【００１８】
照明器具１０a、１０ｂには、それぞれ自己の識別情報ＩＤ１、ＩＤ２が記憶部１３に記憶されている。まず、使用者が照明器具１０a、１０bを点灯させると、照明器具１０a、１０bの制御部１５は、自己の識別情報ＩＤ１、ＩＤ２を記憶部１３から読み出すとともに点灯装置１２を制御して光源１１から識別情報ＩＤ１を可視光信号として送信する。ここで、リモコン装置２０を照明器具１０aの照明領域に持っていくと、リモコン装置２０は可視光信号から識別情報ＩＤ１を取り出し、自己の記憶部２３に記憶するとともに識別情報ＩＤ１と操作部２１とを対応付けて設定する。この状態で、操作部２１を操作するとリモコン装置２０の制御部２５は記憶部２３から操作部２１に対応付けられた識別情報を読み出し、読み出した識別情報ＩＤ１とともに照明器具１０aを制御する制御信号を無線で送信する。ここでは操作部２１の操作によって照明器具１０aを点灯制御する制御信号が送信されるものとする。この制御信号を受信した照明器具１０aは、制御信号に自己の識別情報ＩＤ１が含まれているかを判断し、含まれていることを確認した後現在の点灯状態から消灯状態へと変化させる。さらに、リモコン装置２０の操作部２１を操作すると識別情報ＩＤ１と制御信号を無線で送信し、この制御信号を受信した照明器具１０aは現在の消灯状態から点灯状態へ変化する。ここで、仮にリモコン装置２０から送信された制御信号を照明器具１０bが受信しても制御信号には照明器具１０bの識別情報ＩＤ２が含まれていないため照明器具１０bの制御状態は変化しない。
【００１９】
このように、一度識別情報ＩＤ１とリモコン装置２０の操作部２１とが対応付けされると、それ以後識別情報ＩＤ１が設定された照明器具１０aを制御できるようになる。ここで、操作部２１は点消灯制御する制御信号を送信するものだけでなく調光信号を送信する操作部であってもよい。つまり、照明器具１０aから送信された可視光信号を受信することによって、リモコン装置２０と照明器具１０aとが対応付けられて、リモコン装置２０は照明器具１０aを制御するための制御装置として機能することになる。このように、照明器具１０a及びリモコン装置２０の対応関係を容易に設定することができる。
【００２０】
次に、リモコン装置２０を照明器具１０bの照明領域に持っていくと、照明器具１０bから送出された識別情報ＩＤ２を記憶し、識別情報ＩＤ２と操作部２１とを対応付ける。以後、照明器具１０aと同様にリモコン装置２０によって照明器具１０bを制御することができる。
【００２１】
以上説明したように、本実施形態では、リモコン装置２０と照明器具１０との対応関係を容易に設定することができ、複数の照明器具１０に対して１つのリモコン装置２０で個別制御することができる。
【００２２】
次に図４及び図５を用いて本願発明に係る第２の実施形態について説明する。なお、第１の実施形態と同様の構成については同一符号を付して詳細な説明は省略する。図４は、第２の実施形態に係るリモコン装置を用いた照明制御システムの説明図、図５は第２の実施形態に係るリモコン装置を示すブロック図である。
【００２３】
第２の実施形態では、リモコン装置２０に第２の操作部２１aが設けられており、識別情報と操作部２１との対応付けが変更された場合、第２の操作部２１aとそれまでに記憶した識別情報とが対応付けられて、第２の操作部２１aの操作によって、この識別情報とともに制御信号を送信することができる。
つまり最後に記憶した識別情報よりも一つ以上前に記憶した識別情報を制御対象とすることができる。その他の構成は第１の実施形態と同様である。
【００２４】
第１の実施形態と同様に照明器具１０aの識別情報ＩＤ１と操作部２１とが対応付けされた状態で、照明器具１０aを消灯させた後に照明器具１０bの識別情報ＩＤ２と操作部２１とが対応付けされると、操作部２１によって照明器具１０aを制御することができなくなり、照明器具１０aの識別情報と操作部２１との対応付けするためには再度照明器具１０aを点灯させる必要がある。
【００２５】
そこで、図３に示すように識別情報ＩＤ１と操作部２１とが対応付けされた状態で、リモコン装置２０を照明器具１０bの照明領域に持っていき、識別情報ＩＤ２と操作部２１とが対応付けされた場合には識別情報ＩＤ１と第２の操作部２１aとを対応付ける。そして、第２の操作部２１aを操作するとリモコン装置２０の送信部２４から識別情報ＩＤ１とともに制御信号を送信するように構成する。このように構成することで最後に記憶した識別情報ＩＤ２よりも一つ前の識別情報を制御対象とすることができる。
【００２６】
なお、第２の操作部２１aを複数設けておき、現在操作部２１と対応付けされている識別情報よりも一つ前に対応付けられていた識別情報、２つ前に対応付けられていた識別情報等をそれぞれ対応付けてもよい。ここで、第２の操作部２１aは点消灯制御のみを行えるものであればよく、制御したい対象の照明器具を点灯制御したのちに可視光信号によって操作部２１aと識別情報とを対応付ければよい。
【００２７】
このように、第２の操作部２１aを設けたことによって、誤って識別情報と操作部２１との対応付けが変更された場合や、照明器具１０aと照明器具１０bを頻繁に制御する場合に対応することができる。
【００２８】
次に図６及び図７を用いて本願発明に係る第３の実施形態について説明する。なお、第１及び第２の実施形態と同様の構成については同一符号を付して詳細な説明は省略する。図６は、第３の実施形態に係るリモコン装置を用いた照明制御システムの説明図、図７は第３の実施形態に係るリモコン装置を示すブロック図である。
【００２９】
第３の実施形態では、リモコン装置２０に第３の操作部２１ｂが設けられており、識別情報と操作部２１との対応付けを操作部２１ｂの操作によって変更することができる選択手段を有している。
【００３０】
リモコン装置２０は、表示画面２５、第３の操作部２１ｂ、設定モードボタン２６からなる選択手段が設けられている。まず、設定モードボタン２６を操作すると、表示画面２５には記憶部２３に記憶されている識別情報が表示される。また、第３の操作部２１ｂは例えばジョグダイヤルで構成されており、回転させることで表示画面２５に表示された識別情報を任意に選択することができる。識別情報を選択した後に再度設定モードボタン２６を操作すると操作部２１と選択した識別情報とが対応付けされる。
【００３１】
このように操作部２１と識別情報とを任意に対応付けることができるため一端制御したい照明器具１０の識別情報を記憶しておけば一つのリモコン装置２０で複数台の照明器具１０を制御することができる。
【００３２】
なお、選択手段として表示画面２５を省略し、第３の操作部２１ｂの操作に従って、それまでに記憶された識別情報と操作部２１との対応関係を識別情報が記憶された順に遡って設定変更するものであってもよい。
【００３３】
以上説明した各実施形態は照明器具１０とリモコン装置２０とが無線によって直接通信する場合について説明したが、リモコン装置２０から送信される制御信号を中央処理装置等が受信し、伝送線を介して照明器具に送信する構成であってもよい。
【００３４】
また、リモコン装置によって制御される制御対象は照明器具に限られるものではなく、テレビ、エアコン等の電化製品やその他の電子機器であってもよく、照明制御システムに限られるものではなくこれらの制御対象機器を用いた機器制御システムに適応することができる。
【図面の簡単な説明】
【００３５】
【図１】第１の実施形態に係るリモコン装置を用いた照明制御システムの説明図。
【図２】第１の実施形態に係るリモコン装置の構成を示すブロック図
【図３】リモコン装置によって制御される照明器具の構成を示すブロック図。
【図４】第２の実施形態に係るリモコン装置を用いた照明制御システムの説明図。
【図５】第２の実施形態に係るリモコン装置を示すブロック図。
【図６】第３の実施形態に係るリモコン装置を用いた照明制御システムの説明図。
【図７】第３の実施形態に係るリモコン装置を示すブロック図。
【符号の説明】
【００３６】
１０、１０a、１０b…制御対象機器としての照明器具
２０…リモコン装置
２０a…本体
２１…操作部
２１a…第２の操作部
２１b…選択手段としての第３の操作部
【図１】
2010081499.tif 000003
【図２】
2010081499.tif 000004
【図３】
2010081499.tif 000005
【図４】
2010081499.tif 000006
【図５】
2010081499.tif 000007
【図６】
2010081499.tif 000008
【図７】
2010081499.tif 000009